(57)【要約】【課題】磁気ディスクカートリッジが装填される収容部を有するＰＣカード型ドライブ装置において、カートリッジ着脱時にカートリッジ筐体の金属表面との金属同士の摺動による金属性塵埃の発生を防止する。【解決手段】磁気ディスクカートリッジの筐体外面がドライブ装置２０の収容部内への着脱時に摺動するドライブ装置２０の収容部の金属部品表面領域Ａに非金属性の低摩擦係数・耐磨耗性のコーティングを施す。【選択図】　　　　　図２
2004103099.tif 000002
【特許請求の範囲】
【請求項１】
磁気ディスクカートリッジが装填される収容部を有するＰＣカード型ドライブ装置であって、前記磁気ディスクカートリッジの筐体外面が前記ドライブ装置の収容部内への着脱時に摺動する該ドライブ装置の収容部の金属部品表面に非金属性の低摩擦係数・耐磨耗性のコーティングが施されていることを特徴とするＰＣカードドライブ装置。
【発明の詳細な説明】
【０００１】
【発明の属する技術分野】
本発明は磁気カートリッジを装填する磁気記録再生装置のドライブ装置、特にＰＣカード型ドライブ装置に関するものである。
【０００２】
【従来の技術】
フレキシブル磁気ディスクを装填するドライブ装置では、カートリッジ装填時にカートリッジを収容する部分とカートリッジの筐体外面とが摺動するが、その際、摺動で生ずる塵埃が記録特性の良否に関わるような問題となることはなかった。すなわち、従来のフレキシブル磁気ディスクを収容するドライブ側には空間的な余裕があり、着脱時にカートリッジを上下する機構を備えていたため、摺動で生じる塵埃は少なかった。また、ドライブ装置側の上蓋やカートリッジ筐体の材質はプラスチック材料を用いているものが多く、カートリッジ着脱によって記録特性に影響する金属性の塵埃は殆ど発生せず、問題とはならなかった。
【０００３】
【発明が解決しようとする課題】
しかしながら、記録密度が飛躍的に向上した小型のフレキシブル磁気ディスクの場合には、装填時に摺動で生ずる塵埃が記録特性の良否に特に影響することが判明した。特に、ＰＣカード型ドライブ装置においては、記録の大容量化／高密度化に伴い、これまで問題とならなかった程度の塵埃が問題となっている。特に金属性の塵埃は記録特性に大きく影響することがわかっている。
【０００４】
ＰＣカード型ドライブ装置においては、ドライブ装置およびカートリッジが薄いため、ドライブ装置側の上蓋やカートリッジの筐体も剛性を確保するために金属材料を用いるようになっている上、カートリッジを収容するドライブ装置側の空間も余裕がなくなり、着脱時にカートリッジを上下する機構も無いため、カートリッジの筐体外壁はドライブ装置内壁に摺動しながら着脱されるようになっている。
【０００５】
従って、ＰＣカード型ドライブ装置ではカートリッジ着脱時にカートリッジ筐体外壁の金属面と、ドライブ装置側の上蓋内側の金属面、ドライブ装置本体のベース部およびドライブ装置本体の可動部分の金属部品との金属同士の摺動が避けられず、金属性の塵埃が発生し記録特性に悪影響を及ぼしてしまう問題があった。
【０００６】
本発明は、前記の問題に対し、金属同士の摺動がなく、金属性の塵埃が発生しないＰＣカード型ドライブ装置を提供することを目的とするものである。
【０００７】
【課題を解決するための手段】
本発明のＰＣカード型ドライブ装置は、装填される磁気ディスクカートリッジの筐体外面がドライブの収容部内への着脱時に摺動するドライブの収容部の金属部品表面に非金属性の低摩擦係数・耐磨耗性のコーティングが施されていることを特徴とするものである。
【０００８】
上記非金属性の低摩擦係数・耐磨耗性のコーティングは、例えばＰＴＦＥ系、ＰＦＡ系、フッ素樹脂変性系、テフロン（登録商標）グラファイト系またはＤＬＣ（ダイヤモンドライクカーボン）系が好ましい。
【０００９】
【発明の効果】
本発明によるＰＣカード型ドライブ装置は、磁気ディスクカートリッジ収容部の金属部品表面が例えばＰＴＦＥ系、ＰＦＡ系、フッ素樹脂変性系、テフロン（登録商標）グラファイト系またはＤＬＣ系の低摩擦係数・耐磨耗性のコーティングで覆われているので、カートリッジ着脱時にカートリッジ筐体の金属表面との金属同士の摺動が起こらず、従って金属性の塵埃が発生することがないため、塵埃による記録特性の悪化が起こらない。
【００１０】
【発明の実施の形態】
以下、本発明の実施の形態について図面とともに詳細に説明する、
図１は、ＰＣカード型ドライブ装置に対し押込み・引出し形式で着脱される「ｃｌｉｋ！（登録商標）」と呼ばれる超小型の磁気ディスクカートリッジを示し、図１（ａ）はその平面図、図１（ｂ）は右側面図、図１（ｃ）は底面図である。
【００１１】
図２は、本発明によるＰＣカード型ドライブ装置の本体を示す平面図で、このドライブ装置は、図示のドライブ装置本体２０と、本体２０と略同型の平面形状を備えて本体２０上に被せられる金属製上蓋（図示は省略）とから構成されている。
【００１２】
図１に示す磁気ディスクカートリッジ１は、押込み部２ａを含む樹脂製のフレーム２と、金属薄板からなる上下シェル３，４とによって構成された、幅５０ｍｍ、奥行き５５ｍｍ、厚さ１．９５ｍｍの扁平な筐体内に、４０ＭＢの記憶容量を有する直径１．８インチ（４５．７ｍｍ）の磁気ディスク５を回転自在に収容している。
【００１３】
上記筐体には、図２に示すドライブ装置本体２０が備えている磁気ヘッド２７を磁気ディスク５の表面にアクセスさせるためのＶ字状の開口６と、この開口６を開閉するロータリーシャッタ７とが設けられている。ロータリーシャッタ７は、筐体内に設けられた小径の細長いコイルばね（図示は省略）によって閉方向（図１（ａ）の反時計方向）にばね付勢されている。
【００１４】
筐体の左側面先端部には、ドライブ装置本体２０内の係合部材２９に係合させて、ドライブ装置本体２０内での位置決めを確実にするためのノッチ８が形成され、右側面先端部には、ロータリーシャッタ７を閉位置にロックするシャッタロック部材１１を外部に臨ませる小窓９が形成されている。なお、図１はロータリーシャッタ７が閉位置にロックされている状態を示す。
【００１５】
筐体の下シェル４には、磁気ディスク５のセンタコア１０にドライブ装置本体２０の回転スピンドル２３を結合させるための円形の開口４ａと、ロータリーシャッタ７と同心的な円弧状溝４ｂとが形成され、ロータリーシャッタ７には、上記円弧状溝４ｂから突出しかつこの円弧状溝４ｂに沿って移動してロータリーシャッタ７を開閉するシャッタノブ７ｂが固設されている。
【００１６】
ロータリーシャッタ７を閉位置にロックするシャッタロック部材１１は、筐体に設けられた軸１２に回動自在に取り付けられているとともに、ロータリーシャッタ７をロックする方向にばね付勢されている。そして、磁気ディスクカートリッジ１がドライブ装置本体２０へ挿入される際に、ドライブ装置本体２０側に設けられたロック解除部材１９が小窓９を通してこのシャッタロック部材１１を押圧することにより、ロック部材１１がロック解除方向に僅かに回動されて、ロータリーシャッタ７のロックが解除されるように構成されている。
【００１７】
図２に示すドライブ装置本体２０は、幅５３ｍｍ、奥行き８５ｍｍ、厚さ５ｍｍの寸法を有するＴＹＰＥＩＩ　ＰＣカード型ドライブ装置から金属製上蓋を除去したものであり、ディスクカートリッジ１が挿入されるスロット２１と、磁気ディスク５のセンタコア１０を磁気吸着するスピンドル２３を備えたスピンドルモータ２２と、ヘッドアクチュエータ２４と、スイングアーム２５と、このスイングアーム２５に支持されたヘッドサスペンション２６とを備えている。ヘッドサスペンション２６の先端には、回転する磁気ディスク５の表面にアクセスして情報の記録再生を行なう磁気ヘッド２７が設けられている。
【００１８】
さらにドライブ装置本体２０は、磁気ディスクカートリッジ１のノッチ８に係合する係合部材２９を備えたプッシュ・プッシュ式のカートリッジ係止・排出機構２８と、このドライブ装置本体２０が装填されるデジタルカメラ、パソコン等の電子機器に対する入出力インターフェース３０とを備えている。
【００１９】
ドライブ装置本体２０のスロット２１の奥の右側には、磁気ディスクカートリッジ１の挿入方向に直交するように左右に延びる係止壁１８がシャッタ開放手段として形成されているとともに、閉位置にロックされたロータリーシャッタ７のロックを磁気ディスクカートリッジ１の挿入時に解除するロック解除部材１９が設けられている。
【００２０】
そして、磁気ディスクカートリッジ１がドライブ装置のスロット２１に挿入されると、先ずロック解除部材１９がシャッタロック部材１１を押圧し、その状態でシャッタノブ７ｂが係止壁１８に係合するから、磁気ディスクカートリッジ１の押込みに伴ってシャッタノブ７ｂが係止壁１８に沿ってスライドする態様でロータリーシャッタ７がその付勢用コイルばねを圧縮しながら開位置まで回動され、同時に、磁気ディスクカートリッジ１のノッチ８にドライブ装置本体２０の係合部材２９が係合して、磁気ディスクカートリッジ１は、ドライブ装置本体２０内の所定位置に収納される。
【００２１】
一方、磁気ディスクカートリッジ１をドライブ装置から取り出すときには、磁気ディスクカートリッジ１の押圧部２ａを押圧することによって、カートリッジ係止・排出機構２８が磁気ディスクカートリッジ１を押し出すとともに、圧縮されたロータリーシャッタ付勢用コイルばねによってエジェクト時の初速が確保され、かつ磁気ディスクカートリッジ１の引き出しに伴ってロータリーシャッタ７は上記コイルばねの付勢力により閉位置まで回動されて、シャッタロック部材１１によりロックされるように構成されている。
【００２２】
さらに図２において、スピンドルモータ２２の周囲のハッチングが施されている領域Ａは、磁気ディスクカートリッジ１がドライブ装置の収納部に対し上述のような着脱動作を行なうときにカートリッジ１の筐体外面が摺動する金属性ベース部の表面領域であり、本実施の形態においては、この領域Ａと、同じくカートリッジ１の筐体外面が摺動する金属製上蓋の内表面と、収納部内の可動部品の表面とに、例えばＰＴＦＥ系、ＰＦＡ系、フッ素樹脂変性系、テフロン（登録商標）グラファイト系またはＤＬＣ系の低摩擦係数・耐磨耗性のコーティングが施されている。
【００２３】
以上の説明で明らかなように、本発明によるＰＣカード型ドライブ装置は、磁気ディスクカートリッジ１の収容部の金属部品表面が例えばＰＴＦＥ系、ＰＦＡ系、フッ素樹脂変性系、テフロン（登録商標）グラファイト系またはＤＬＣ系の低摩擦係数・耐磨耗性のコーティングで覆われているので、カートリッジ１の着脱時にカートリッジ筐体の金属表面との金属同士の摺動が起こらず、従って金属性の塵埃が発生することがないため、塵埃による記録特性の悪化が起こらないという利点を有する。
【図面の簡単な説明】
【図１】図１（ａ）〜（ｃ）は、本発明によるＰＣカード型ドライブ装置に着脱される磁気ディスクカートリッジの平面図、右側面図および底面図
【図２】本発明によるＰＣカード型ドライブ装置のドライブ装置本体平面図
【符号の説明】
Ａ　　コーティング領域
１　　磁気ディスクカートリッジ
２　　フレーム
３　　上シェル
４　　下シェル
５　　磁気ディスク
７　　ロータリーシャッタ
１８　　係止壁
１９　　ロック解除部材
２０　　ドライブ装置本体
２２　　スピンドルモータ
【図１】
2004103099.tif 000003
【図２】
2004103099.tif 000004